【手続補正書】
【提出日】平成29年4月14日(2017.4.14)
【手続補正１】
【補正対象書類名】特許請求の範囲
【補正対象項目名】全文
【補正方法】変更
【補正の内容】
【特許請求の範囲】
【請求項１】
光軸と異なる方向に移動することで光学的に像振れを補正する第１の光学補正手段と、
前記光軸方向において前記第１の光学補正手段と異なる位置に配置され、前記光軸と異なる方向に移動することで光学的に像振れを補正する第２の光学補正手段と、
振れ検出手段により検出された振れ信号に前記第１の光学補正手段の駆動範囲を制限する第１の制限をかける第１の制限手段と、
前記振れ検出手段により検出された振れ信号から前記第１の制限をかけられた振れ信号を減算して減算値を求める減算手段と、
前記減算値に前記第２の光学補正手段の駆動範囲を制限する第２の制限をかける第２の制限手段と、
前記第１の制限手段の制限値及び前記第２の制限手段の制限値を変更する変更手段と、
前記第１の制限をかけられた振れ信号を用いて前記第１の光学補正手段を制御するとともに前記第２の制限をかけられた振れ信号を用いて前記第２の光学補正手段を制御する制御手段と、
を備えることを特徴とする像振れ補正装置。
【請求項２】
前記焦点距離が所定値より大きい場合、前記第１の光学補正手段における駆動量に対する光学性能の劣化は、前記第２の光学補正手段における前記第１の光学補正手段と同じ駆動量に対する光学性能の劣化よりも小さく、
前記焦点距離が前記所定値より小さい場合、前記第１の光学補正手段における駆動量に対する光学性能の劣化は、前記第２の光学補正手段における前記第１の光学補正手段と同じ駆動量に対する光学性能の劣化よりも大きいことを特徴とする請求項１に記載の像振れ補正装置。
【請求項３】
前記変更手段は、前記焦点距離が所定値より大きい場合、前記第１の制限の制限値に比べて前記第２の制限の制限値が小さく、前記焦点距離が前記所定値より小さい場合、前記第１の制限の制限値に比べて前記第２の制限の制限値が大きくなるように制御することを特徴とする請求項１または２に記載の像振れ補正装置。
【請求項４】
前記制御手段は、露光中でない場合、前記第１の制限の制限値に比べて前記第２の制限の制限値が小さく、露光中である場合、前記第１の制限の制限値に比べて前記第２の制限の制限値が大きくなるように制御することを特徴とする請求項１乃至３のいずれか１項に記載の像振れ補正装置。
【請求項５】
前記制御手段は、前記第２の光学補正手段の光軸からの距離が所定値より大きくなった場合、前記第１の制限の制限値を大きくすることを特徴とする請求項１乃至４のいずれか１項に記載の像振れ補正装置。
【請求項６】
光軸と異なる方向に移動することで光学的に像振れを補正する第１の光学補正手段と、
前記光軸方向において前記第１の光学補正手段と異なる位置に配置され、前記光軸と異なる方向に移動することで光学的に像振れを補正する第２の光学補正手段と、
振れ検出手段により検出された振れ信号に前記第１の光学補正手段の駆動範囲を制限する第１の制限をかける第１の制限手段と、
前記第１の制限をかけられた振れ信号を用いて駆動された前記第１の光学補正手段の駆動位置を検出する第１の位置検出手段と、
前記振れ検出手段により検出された振れ信号から前記第１の位置検出手段で検出された駆動位置の信号を減算して減算値を求める減算手段と、
前記減算値に前記第２の光学補正手段の駆動範囲を制限する第２の制限をかける第２の制限手段と、
前記第１の制限手段の制限値及び前記第２の制限手段の制限値を変更する変更手段と、
前記第１の制限をかけられた振れ信号を用いて前記第１の光学補正手段を制御するとともに前記第２の制限をかけられた振れ信号を用いて前記第２の光学補正手段を制御する制御手段と、
を備えることを特徴とする像振れ補正装置。
【請求項７】
光軸と異なる方向に移動することで光学的に像振れを補正する第１の光学補正手段と、前記光軸方向において前記第１の光学補正手段と異なる位置に配置され、前記光軸と異なる方向に移動することで光学的に像振れを補正する第２の光学補正手段とを備える像振れ補正装置を制御する方法であって、
振れ検出手段により検出された振れ信号に前記第１の光学補正手段の駆動範囲を制限する第１の制限をかける第１の制限工程と、
前記振れ検出手段により検出された振れ信号から前記第１の制限をかけられた振れ信号を減算して減算値を求める減算工程と、
前記減算値に前記第２の光学補正手段の駆動範囲を制限する第２の制限をかける第２の制限工程と、
前記第１の制限工程における制限値及び前記第２の制限工程における制限値を変更する変更工程と、
前記第１の制限をかけられた振れ信号を用いて前記第１の光学補正手段を制御するとともに前記第２の制限をかけられた振れ信号を用いて前記第２の光学補正手段を制御する制御工程と、
を有することを特徴とする像振れ補正装置の制御方法。
【請求項８】
光軸と異なる方向に移動することで光学的に像振れを補正する第１の光学補正手段と、前記光軸方向において前記第１の光学補正手段と異なる位置に配置され、前記光軸と異なる方向に移動することで光学的に像振れを補正する第２の光学補正手段とを備える像振れ補正装置を制御する方法であって、
振れ検出手段により検出された振れ信号に前記第１の光学補正手段の駆動範囲を制限する第１の制限をかける第１の制限工程と、
前記第１の制限をかけられた振れ信号を用いて駆動された前記第１の光学補正手段の駆動位置を検出する第１の位置検出工程と、
前記振れ検出手段により検出された振れ信号から前記第１の位置検出工程において検出された駆動位置の信号を減算して減算値を求める減算工程と、
前記減算値に前記第２の光学補正手段の駆動範囲を制限する第２の制限をかける第２の制限工程と、
前記第１の制限工程における制限値及び前記第２の制限工程における制限値を変更する変更工程と、
前記第１の制限をかけられた振れ信号を用いて前記第１の光学補正手段を制御するとともに前記第２の制限をかけられた振れ信号を用いて前記第２の光学補正手段を制御する制御工程と、
を有することを特徴とする像振れ補正装置の制御方法。
【請求項９】
請求項７または８に記載の制御方法の各工程をコンピュータに実行させるためのプログラム。
【請求項１０】
請求項７または８に記載の制御方法の各工程をコンピュータに実行させるためのプログラムを記憶したコンピュータが読み取り可能な記憶媒体。
【手続補正２】
【補正対象書類名】明細書
【補正対象項目名】０００９
【補正方法】変更
【補正の内容】
【０００９】
本発明に係わる像振れ補正装置は、光軸と異なる方向に移動することで光学的に像振れを補正する第１の光学補正手段と、前記光軸方向において前記第１の光学補正手段と異なる位置に配置され、前記光軸と異なる方向に移動することで光学的に像振れを補正する第２の光学補正手段と、振れ検出手段により検出された振れ信号に前記第１の光学補正手段の駆動範囲を制限する第１の制限をかける第１の制限手段と、前記振れ検出手段により検出された振れ信号から前記第１の制限をかけられた振れ信号を減算して減算値を求める減算手段と、前記減算値に前記第２の光学補正手段の駆動範囲を制限する第２の制限をかける第２の制限手段と、前記第１の制限手段の制限値及び前記第２の制限手段の制限値を変更する変更手段と、前記第１の制限をかけられた振れ信号を用いて前記第１の光学補正手段を制御するとともに前記第２の制限をかけられた振れ信号を用いて前記第２の光学補正手段を制御する制御手段と、を備えることを特徴とする。
また、本発明に係わる像振れ補正装置は、光軸と異なる方向に移動することで光学的に像振れを補正する第１の光学補正手段と、前記光軸方向において前記第１の光学補正手段と異なる位置に配置され、前記光軸と異なる方向に移動することで光学的に像振れを補正する第２の光学補正手段と、振れ検出手段により検出された振れ信号に前記第１の光学補正手段の駆動範囲を制限する第１の制限をかける第１の制限手段と、前記第１の制限をかけられた振れ信号を用いて駆動された前記第１の光学補正手段の駆動位置を検出する第１の位置検出手段と、前記振れ検出手段により検出された振れ信号から前記第１の位置検出手段で検出された駆動位置の信号を減算して減算値を求める減算手段と、前記減算値に前記第２の光学補正手段の駆動範囲を制限する第２の制限をかける第２の制限手段と、前記第１の制限手段の制限値及び前記第２の制限手段の制限値を変更する変更手段と、前記第１の制限をかけられた振れ信号を用いて前記第１の光学補正手段を制御するとともに前記第２の制限をかけられた振れ信号を用いて前記第２の光学補正手段を制御する制御手段と、を備えることを特徴とする。